(57)【要約】【課題】中空構造物の壁等の孔に挿入した後でも取り外しが自由にできる中空構造物用取付金具を提供するとともに、その取外しのための取外し冶具を含めたユニットを提供する。【解決手段】軸部１の一端側に、その軸部１の軸心方向と直交する方向に支軸３を設けるとともに、その支軸３に回転自在に係止片２を設け、その係止片２は、長手方向がその軸部１の軸心方向と平行する方向に向けられた伸張姿勢のときにその軸部１の径の範囲内に位置し、その長手方向がその軸部１の軸心方向と直交する方向に向けられた折り曲げ姿勢のときにその軸部１の径の範囲外に及ぶようにした中空構造物用取付金具ａ１であって、  前記軸部１の外周部に、前記折り曲げ姿勢の係止片２に先端が臨ませられる凹条溝４が前記軸心方向と並行に設けられている。【選択図】図４
2008267427.tif 000002
【特許請求の範囲】
【請求項１】
軸部の一端側に、その軸部の軸心方向と直交する方向に支軸を設けるとともに、その支軸に回転自在に係止片を設け、その係止片は、長手方向がその軸部の軸心方向と平行する方向に向けられた伸張姿勢のときにその軸部の径の範囲内に位置し、その長手方向がその軸部の軸心方向と直交する方向に向けられた折り曲げ姿勢のときにその軸部の径の範囲外に及ぶようにした中空構造物用取付金具であって、
前記軸部の外周部に、前記折り曲げ姿勢の係止片に先端が臨ませられる凹条溝が前記軸心方向と並行に設けられていることを特徴とする中空構造物用取付金具。
【請求項２】
軸部の一端側に、その軸部の軸心方向と直交する方向に支軸を設けるとともに、その支軸に回転自在に係止片を設け、その係止片は、長手方向がその軸部の軸心方向と平行する方向に向けられた伸張姿勢のときにその軸部の径の範囲内に位置し、その長手方向がその軸部の軸心方向と直交する方向に向けられた折り曲げ姿勢のときにその軸部の径の範囲外に及ぶようにした中空構造物用取付金具であって、
前記軸部には、その軸心から半径外方にずれた位置に、前記折り曲げ姿勢の係止片に先端が臨ませられる貫通孔が前記軸心方向と並行に設けられていることを特徴とする中空構造物用取付金具。
【請求項３】
前記軸部は、その外周部に雄ねじを有し、前記凹条溝の底部は前記雄ねじの谷部よりも半径方向内方にまで延びていることを特徴とする請求項１記載の中空構造物用取付金具。
【請求項４】
前記軸部は、その外周部に雄ねじを有し、前記貫通孔は前記雄ねじの谷部よりも半径方向内方位置に形成されていることを特徴とする請求項２記載の中空構造物用取付金具。
【請求項５】
前記軸部は、その他端部につば部が設けられていることを特徴とする請求項１又は２に記載の中空構造物用取付金具。
【請求項６】
請求項１から５のいずれか一項に記載の中空構造物用取付金具と、該中空構造物用取付金具の他端から前記凹条溝又は貫通孔内に挿入されて前記折り曲げ姿勢の係止片を回転させるピンを有する取外し冶具とからなることを特徴とする中空構造物用取付金具ユニット。
【請求項７】
前記中空構造物用取付金具の軸部の他端には、ガイド穴が前記軸心に沿って形成され、前記取外し冶具には、前記ピンを凹条溝又は貫通孔に挿入したときに前記ガイド穴に嵌合されるガイド突起が設けられていることを特徴とする請求項７記載の中空構造物用取付金具ユニット。
【発明の詳細な説明】
【技術分野】
【０００１】
本発明は、壁や天井等の作業員が手を入れることのできない中空構造物の表側に各種物品を取り付けるときに用いられる中空構造物用取付金具、及びその中空構造物に取り付けられた中空構造物用取付金具を取り外すときに用いられる取外し冶具を備えた中空構造物用取付金具ユニットに関する。
【背景技術】
【０００２】
従来、この種の中空構造物用取付金具は、中空構造物の厚さよりも十分に長い軸部の一端側に、その軸部の軸心方向と直交する方向に支軸を設けるとともに、その支軸に回転自在に係止片を設けて構成されている。そして、その係止片は、その係止片の長手方向がその軸心方向と平行する方向に回転したときに、その係止部が軸部の径の範囲内に位置し、その係止片の長手方向がその軸心方向と直交する方向に回転したときに、その係止部が軸部の径の範囲外に及ぶように構成されている（特許文献１，２参照）。
【０００３】
上記構成からなる中空構造物用取付金具の中空構造物への取り付けは、中空構造物の壁等の取り付け位置に軸部の径よりも少し大きい径の孔があけられる。そして、その孔に係止片の長手方向が軸部の軸心方向と平行する方向に回転させた状態で、すなわち、係止片を軸部の径の範囲内に位置させた状態で挿入される。孔に挿入された中空構造物用取付金具は、係止片が支軸を中心にしてアンバランスとなるように回転自在に取り付けられているので、係止片は重力により回動し、係止片の長手方向が軸部の径の範囲外まで及ぶこととなる。これにより、中空構造物の孔に挿入された中空構造物用取付金具は、壁等の孔からの抜け出しが阻止される。この抜け出しが阻止された中空構造物用取付金具を介して中空構造物の表側に各種物品を取り付けることが可能となる。
【特許文献１】特開平３−１４５７３号公報
【特許文献２】特開平１１−４４３１１号公報
【発明の開示】
【発明が解決しようとする課題】
【０００４】
しかしながら、上記従来の中空構造物用取付金具は、中空構造物の壁等の孔に挿入された係止片が支軸にアンバランスに取り付けられていることを利用して回動させ、挿入された孔からの抜け出しが阻止されるように構成されているので、一旦、中空構造物用取付金具が中空構造物の孔に挿入された後は取り外すことはできず、再利用等ができないという問題がある。
【０００５】
本発明は、前記事情に鑑みてなされたもので、中空構造物の壁等の孔に挿入した後でも取り外しが自由にできる中空構造物用取付金具を提供するとともに、その取外しのための取外し冶具を含めたユニットを提供することを目的とする。
【課題を解決するための手段】
【０００６】
本発明の中空構造物用取付金具は、軸部の一端側に、その軸部の軸心方向と直交する方向に支軸を設けるとともに、その支軸に回転自在に係止片を設け、その係止片は、長手方向がその軸部の軸心方向と平行する方向に向けられた伸張姿勢のときにその軸部の径の範囲内に位置し、その長手方向がその軸部の軸心方向と直交する方向に向けられた折り曲げ姿勢のときにその軸部の径の範囲外に及ぶようにした中空構造物用取付金具であって、前記軸部の外周部に、前記折り曲げ姿勢の係止片に先端が臨ませられる凹条溝が前記軸心方向と並行に設けられていることを特徴とする。
【０００７】
このような構成からなる中空構造物用取付金具は、壁等の孔に固定した後でも、凹条溝を介して軸部の他端側から取り外しのためのピンを挿入することにより係止片を回動させることができ、係止片を伸張姿勢として軸部を壁等の孔から引き抜くことが可能になる。
【０００８】
また、本発明の中空構造物用取付金具は、軸部の一端側に、その軸部の軸心方向と直交する方向に支軸を設けるとともに、その支軸に回転自在に係止片を設け、その係止片は、長手方向がその軸部の軸心方向と平行する方向に向けられた伸張姿勢のときにその軸部の径の範囲内に位置し、その長手方向がその軸部の軸心方向と直交する方向に向けられた折り曲げ姿勢のときにその軸部の径の範囲外に及ぶようにした中空構造物用取付金具であって、前記軸部には、その軸心から半径外方にずれた位置に、前記折り曲げ姿勢の係止片に先端が臨ませられる貫通孔が前記軸心方向と並行に設けられていることを特徴とする。
この構成の中空構造物用取付金具も、貫通孔を介して軸部の他端側から取り外しのためのピンを挿入することにより、係止片を回動させることができる。
【０００９】
本発明の中空構造物用取付金具において、前記軸部は、その外周部に雄ねじを有している構成としてもよく、その場合、前記凹条溝の底部は雄ねじの谷部よりも半径方向内方にまで延びて形成され、また、貫通孔の場合も雄ねじの谷部よりも半径方向内方位置に形成される。この中空構造物用取付金具は、中空構造物の壁等の孔に形成した雌ねじにねじ込んで固定される。
また、前記軸部は、その他端部につば部が設けられている構成としてもよく、その場合は、中空構造物の壁等に弾性体を取り付ける場合に好適である。
【００１０】
一方、本発明の中空構造物用取付金具ユニットは、前記中空構造物用取付金具と、該中空構造物用取付金具の他端から前記凹条溝又は貫通孔内に挿入されて前記折り曲げ姿勢の係止片を回転させるピンを有する取外し冶具とからなることを特徴とする。
この中空構造物用取付金具ユニットでは、中空構造物用取付金具を壁等の孔に固定した後、取外し冶具のピンを軸部の他端側から凹条溝又は貫通孔内に挿入して係止片を回動させることにより、係止片を伸張姿勢として軸部を壁等の孔から引き抜くことが可能になる。
【００１１】
本発明の中空構造物用取付金具ユニットにおいて、前記中空構造物用取付金具の軸部の他端には、ガイド穴が前記軸心に沿って形成され、前記取外し冶具には、前記ピンを凹条溝又は貫通孔に挿入したときに前記ガイド穴に嵌合されるガイド突起が設けられている構成としてもよい。
この構成とすることにより、取外し冶具のピンを軸部の他端側から凹条溝又は貫通孔内に挿入して係止片を回動させたときに、ガイド突起がガイド穴に嵌合されて取外し冶具と中空構造物用取付金具とが一体化するので、これらを一体に操作することにより、中空構造物用取付金具を引き抜く作業を容易にすることができる。
【発明の効果】
【００１２】
本発明に係る中空構造物用取付金具及び中空構造物用取付金具ユニットによれば、軸部の凹条溝や貫通孔に取外しのためのピンを挿入して係止片を回動させることができるから、中空構造物用取付金具を中空構造物の壁等の孔に挿入した後でも簡単に取り外しができ、再利用を可能にすることができる。
【発明を実施するための最良の形態】
【００１３】
以下、本発明の中空構造物用取付金具ユニットの実施形態について、図面に基づいて説明する。
図１は、本発明の第１の実施形態に係る中空構造物用取付金具ａ１の一部を断面にして示した正面図、図２はその右側面図、図３はその左側面図である。
【００１４】
図１中、符号１は一端部を除く大部分の外周部に雄ねじ１ａを有する軸部であって、該軸部１の長さは、この中空構造物用取付金具ａ１が使用される図示しない中空構造物の壁の厚さと該壁に取り付けられる物品の厚さとの総和よりも長く決められている。そして、この軸部１の直径（本発明の径に相当している。）は、中空構造物に取り付けられる物品の重量等に十分耐えられるように決められている。
【００１５】
図１中、符号２は係止片であって、この係止片２は、軸部１の一端部側（図１において左端部側）に軸部１と一体的に形成されている係止片取付部１ｂに取り付けられている。この係止片取付部１ｂは、軸部１の雄ねじ１ａとは反対側の端部の所定長さに形成されている。そして、この係止片取付部１ｂの部分には、軸部１の一端部側の端面に開口し、軸部１の軸心Ｃを通る径方向に切り込まれた所定幅のスリット１ｃを有している。また、このスリット１ｃを有している部分の一端部側寄りには、軸部１の軸心Ｃの方向と直交する方向で、かつ、スリット１ｃを横断する方向に係止片２を回転自在に軸支する支軸３が設けられている。
【００１６】
この係止片２は長方形の帯状の板材からなり、その厚さはスリット１ｃの幅より少し小さく、その短辺の長さはこの軸部１の直径と等しいか、これよりも少し小さく決められている。そして、係止片２の長辺の長さは、軸部１の直径よりも十分に大きくされ、係止片２の長辺の長さの中心位置よりも少し一方側に寄った位置（図１の実線位置においては上端部側）で支軸３を中心にしてスリット１ｃ内で自由に回転できるように取り付けられる。すなわち、この係止片２は、その支軸３の位置が長さ方向の中央位置（重心位置）に対してずれたアンバランス状態に設けられており、したがって、軸部１が図１に示されるように水平状態に保たれているときは、重力により、支軸３からの距離が長い方が下になるように回動することができる（図１の実線で示される係止片２参照）。
【００１７】
図１中、符号４は、本発明の特徴をなす凹条溝であって、軸部１の外周部に、その軸心Ｃと平行に形成され、先端が前記スリット１ｃに連通している。すなわち、この凹条溝４は、軸部１の外周部で、軸部１の他端面（図１おいて右端部側の端面）からスリット１ｃまで設けられており、先端がスリット１ｃ内の係止片２に臨ませられた状態とされている。そして、この凹条溝４の大きさは、後述する取外し冶具のピンが十分に挿入できるように決められている。この場合、凹条溝４の深さは、雄ねじ１ａの谷部よりも半径方向内方にまで延びて形成されており、雄ねじ１ａにナットを螺合した状態でも凹条溝４が連通した状態となるようにされている。
【００１８】
上記構成からなる中空構造物用取付金具ａ１の中空構造物への取り付ける場合、中空構造物Ｅに軸部１の直径よりも少し大きい直径の孔Ｅａをあけておき、軸部１は、そのあけられ孔Ｅａに係止片２の回転位置を図１に二点鎖線で示されるようにして、すなわち、係止片２の長手方向が軸部１の長手方向と一致させて（この二点鎖線で示す係止片２の姿勢を伸張姿勢と呼ぶ）、その係止片２側を先にして挿入される。軸部１が孔に挿入され、係止片２が孔から出ると係止片２が自重により回動して、図１の実線で示すように軸部１と直交し（この実線で示す係止片２の姿勢を折り曲げ姿勢と呼ぶ）、以後、軸部１は、孔からの抜け出しが阻止される。この軸部１の他端側（図１おいて右端部側）の表側から突出した部分には、各種物品が取り付けられる。
【００１９】
次に、図４（ａ），（ｂ）にしたがって中空構造物に取り付けられた中空構造物用取付金具ａ１の取り外しについて説明する。先ず、この取り外しで用いられる取外し冶具ｂ１について説明する。この取外し冶具ｂ１の本体は、作業員の手に持ち易いように形成された例えば円柱体状のつまみ部２０と、このつまみ部２０に一端部が植設されたピン２１とから構成されている。このピン２１は、上記凹条溝４及び後述する貫通孔に挿入できる太さを有し、かつ、ピアノ線等の鋼線材で作られ、そして、その長さは、ほぼ軸部１の長さと等しくなるように決められている。
【００２０】
上記構成からなる取外し冶具ｂ１を用いた中空構造物用取付金具ａ１の取り外しは、先ず、凹条溝４に取外し冶具ｂ１のピン２１が挿入される（図４（ａ）の矢印イ参照）。このピン２１の先端が係止片取付部１ａに達すると、該係止片取付部１ａで軸部１に直交している係止片２に当接し、そのままピン２１を押し込んでいくと、係止片２を回動させて係止片２の長手方向が軸部１の軸心Ｃの方向と一致させられる。すなわち、係止片２は、前記伸張姿勢となり、軸部１の直径の範囲内に位置することとなる（図４（ｂ）の矢印ロ参照）。そして、この状態で軸部１及び取外し冶具ｂ１を一緒に持って図４（ｂ）の矢印ハの方向に、つまり、軸部１を中空構造物Ｅの孔Ｅａに挿入した方向とは反対方向に移動させると、孔Ｅａから軸部１を抜き出すことができる。これにより、中空構造物Ｅに取り付けられた中空構造物用取付金具ａ１の取り外しが完了となる。
【００２１】
図５は、本発明の第２の実施形態に係る中空構造物用取付金具ａ２の一部を断面にして示した正面図、図６はその右側面図、図７はその左側面図である。そして、図８（ａ），（ｂ）は、中空構造物に取り付けられた中空構造物用取付金具ａ２の取り外しについての説明図である。これらの図において、上記第１の実施形態に係る中空構造物用取付金具ａ１の構成要素と同一の構成要素については同一の符号が付されている。したがって、ここでは、上記中空構造物用取付金具ａ１と異なる点について説明する。
【００２２】
この中空構造物用取付金具ａ２においては、中空構造物用取付金具ａ１の凹条溝４の代わりに貫通孔５を有することを特徴としている。この貫通孔５は、軸部１の軸心Ｃから半径方向にずれた位置に軸心Ｃの方向と平行に形成されて、軸部１の先端のスリット１ｃに連通している。すなわち、この貫通孔５は、軸部１の他端面（図５おいて右端部側の端面）からスリット１ｃまで設けられており、先端がスリット１ｃ内の係止片２に臨ませられた状態とされている。そして、この貫通孔５の大きさは、取外し冶具ｂ１のピン２１が十分に挿入できるように決められている。また、前記凹条溝４の場合と同様、貫通孔５は、雄ねじ１ａの谷部よりも半径方向内方位置に形成されており、雄ねじ１ａにナットを螺合した状態でも貫通孔５が連通した状態となるようにされてい
る。
【００２３】
上記構成からなる中空構造物用取付金具ａ２においても、貫通孔５が設けられているので、この貫通孔５に取外し冶具ｂ１のピン２１を挿入することにより、上述した中空構造物用取付金具ａ１と同様に、係止片２を折り曲げ姿勢から伸張姿勢に回転させて、その中空構造物用取付金具ａ２を容易に取り外すことができる。
【００２４】
図９は、本発明の第３の実施形態に係る中空構造物用取付金具ａ３の一部を断面にして示した正面図、図１０はその右側面図、図１１はその左側面図である。そして、図１２（ａ），（ｂ）は、中空構造物に取り付けられた中空構造物用取付金具ａ３の取り外しについての説明図である。これらの図においても、上述した各中空構造物用取付金具ａ１，ａ２の構成要素と同一の構成要素については同一の符号が付されており、以下では、これら中空構造物用取付金具ａ１，ａ２と異なる点について説明する。
【００２５】
この中空構造物用取付金具ａ３においては、上述した中空構造物用取付金具ａ１，ａ２の軸部１が雄ねじ１ａを有していたのに対して、ここでは、他端部（図９において右端部）につば部６を一体的に有するねじ無しの棒材からなる軸部７で形成されている。この中空構造物用取付金具ａ３は、中空構造物Ｅの孔Ｅａに挿入された状態で中空構造物Ｅの壁面とつば部６との間に物品を固定することができるようになっている。そして、この軸部７の外周の長手方向には、上述した中空構造物用取付金具ａ１と同様の凹条溝４が設けられている。
【００２６】
軸部７の他端部に一体的に設けられているつば部６には、軸部７に設けられている凹条溝４に対応した位置に切欠部８が設けられているとともに、軸部７の軸心Ｃに沿って所定深さのガイド穴９が設けられている。切欠部８の大きさは、後述する取外し冶具ｂ２のピンが十分に挿入できるように決められているとともに、ガイド穴９の穴径は、その取外し冶具ｂ２に設けられているガイド突起が十分に挿入できるように決められている。
【００２７】
上記取外し冶具ｂ２は、円柱体状のつまみ部２０にピン２１が植設されている点は上述した取外し冶具ｂ１と同一であるが、このつまみ部２０に、前記ガイド穴９に対応した位置にガイド突起２２が設けられている。したがって、ピン２１が切欠部８から凹条溝４に挿入されたときは、ガイド突起２２がガイド穴９に嵌合して取外し冶具ｂ２を位置決めすることができる。
【００２８】
上記構成からなる中空構造物用取付金具ａ３においても、凹条溝４が設けられているので、この凹条溝４に取外し冶具ｂ２のピン２１を挿入することにより、上述した中空構造物用取付金具ａ１，ａ２と同様にして、取り付けられた中空構造物用取付金具ａ２を容易に取り外すことができる。また、取り外し時には、取外し冶具ｂ２のガイド突起２２が中空構造物用取付金具ａ３のガイド穴９に嵌合して両者を一体的に連結するので、つまみ部２０の部分で両者を一緒に持つことにより、中空構造物用取付金具ａ３の取り外しを容易にすることができる。
また、この第３の実施形態における中空構造物用取付金具も、前記第２の実施形態の場合と同様に、凹条溝に代えて貫通孔を設けるようにしてもよい。
【００２９】
図１３は、本発明の第４の実施形態に係る中空構造物用取付金具ａ４の一部を断面にして示した正面図、図１４はその右側面図、図１５はその左側面図である。そして、図１６（ａ），（ｂ）は、中空構造物に取り付けられた中空構造物用取付金具ａ４の取り外しについての説明図である。これら図においても、上述した各中空構造物用取付金具ａ１，ａ２，ａ３の構成要素と同一の構成要素については同一の符号が付されており、以下では、これら中空構造物用取付金具ａ１，ａ２，ａ３と異なる点について説明する。
【００３０】
この中空構造物用取付金具ａ４の軸部１０は、板材をプレス加工により横断面がコ字状（断面コ字状）を呈するように折り曲げて作られている。また、軸部１０の他端部（図１３おいて右端部）に左右両側に開くようにつば部１１が軸部１０と一体的に形成されている。そして、この軸部１０の一端部側（図１３おいて右端部側）には、コ字状の底壁を欠落させることによりスリット１０ｃが形成され、該スリット１０ｃ内に係止片２を取り付ける係止片取付部１０ｂが形成されている。しかも、この断面コ字状の軸部１０の空間部は、上述した凹条溝４又は貫通孔５に相当する凹条溝１２とされている。
【００３１】
上記構成からなる中空構造物用取付金具ａ４においては、断面コ字状の壁により凹条溝１２が設けられているので、この凹条溝１２に取外し冶具ｂ１のピン２１を挿入することにより、上述した中空構造物用取付金具ａ１，ａ２，ａ３と同様にして、取り付けられた中空構造物用取付金具ａ４を容易に取り外すことができる。
しかも、この中空構造物用取付金具ａ４の軸部１０は、係止片取付部１０ｂ及びつば部１１を含めてプレス加工により簡単に、かつ、安価に製造することができる。
この第４の実施形態の形状の中空構造物用取付金具は、板材のプレス加工によって製作するもの以外にも、例えば鋳造によって製作するようにしてもよい。
【００３２】
なお、本発明は、上述の各実施形態に限定されるものではなく、本発明の趣旨を逸脱しない範囲において変更可能である。例えば、上述の例では、係止片は、係止片取付部に設けられているスリット内に設けけたが、係止片取付部のスリットに相当する部分を薄片に形成し、その薄片の片側に係止片を回転自在に設けるようにしてもよく、また、係止片の基端部を二股状に形成して、その薄片の両側に配置して取り付ける構成としてもよい。
【図面の簡単な説明】
【００３３】
【図１】本発明の第１の実施の形態に係る中空構造物用取付金具を一部断面で示した正面図である。
【図２】本発明の第１の実施の形態に係る中空構造物用取付金具の右側面図である。
【図３】本発明の第１の実施の形態に係る中空構造物用取付金具の左側面図である。
【図４】本発明の第１の実施の形態に係る中空構造物用取付金具の取り外しの説明図である。
【図５】本発明の第２の実施の形態に係る中空構造物用取付金具を一部断面で示した正面図である。
【図６】本発明の第２の実施の形態に係る中空構造物用取付金具の右側面図である。
【図７】本発明の第２の実施の形態に係る中空構造物用取付金具の左側面図である。
【図８】本発明の第２の実施の形態に係る中空構造物用取付金具の取り外しの説明図である。
【図９】本発明の第３の実施の形態に係る中空構造物用取付金具を一部断面で示した正面図である。
【図１０】本発明の第３の実施の形態に係る中空構造物用取付金具の右側面図である。
【図１１】本発明の第３の実施の形態に係る中空構造物用取付金具の左側面図である。
【図１２】本発明の第３の実施の形態に係る中空構造物用取付金具の取り外しの説明図である。
【図１３】本発明の第４の実施の形態に係る中空構造物用取付金具を一部断面で示した正面図である。
【図１４】本発明の第４の実施の形態に係る中空構造物用取付金具の右側面図である。
【図１５】本発明の第４の実施の形態に係る中空構造物用取付金具の左側面図である。
【図１６】本発明の第４の実施の形態に係る中空構造物用取付金具の取り外しの説明図である。
【符号の説明】
【００３４】
ａ１，ａ２，ａ３，ａ４  中空構造物用取付金具
１  軸部
１ａ  雄ねじ
１ｂ  係止片取付部
１ｃ  スリット
２  係止片
３  支軸
４  凹条溝
５  貫通孔
６  つば部
７  軸部
８  切欠部
９  ガイド穴
１０  軸部
１０ｂ  係止片取付部
１０ｃ  スリット
１１  つば部
１２  凹条溝
ｂ１，ｂ２  取外し冶具
２０  つまみ部
２１  ピン
２２  ガイド突起
Ｅ  中空構造物
Ｅａ  孔
【図１】
2008267427.tif 000003
【図２】
2008267427.tif 000004
【図３】
2008267427.tif 000005
【図４】
2008267427.tif 000006
【図５】
2008267427.tif 000007
【図６】
2008267427.tif 000008
【図７】
2008267427.tif 000009
【図８】
2008267427.tif 000010
【図９】
2008267427.tif 000011
【図１０】
2008267427.tif 000012
【図１１】
2008267427.tif 000013
【図１２】
2008267427.tif 000014
【図１３】
2008267427.tif 000015
【図１４】
2008267427.tif 000016
【図１５】
2008267427.tif 000017
【図１６】
2008267427.tif 000018